(57)【要約】  本開示の実施形態は、双方向ＩＰフローモビリティ制御のための装置及び方法を説明する。種々の実施形態は、少なくとも２つの無線アクセス技術によって多元アクセスパケットデータネットワーク（ＰＤＮ）接続を確立するための信号回路部を有するＵＥを含み、少なくとも２つの無線アクセス技術に基づいてインターネットプロトコル（ＩＰ）フローモビリティを有効化し得る。ＵＥは、ネットワークポリシーに基づいて始動されるＩＰフローモビリティとＵＥポリシーに基づいて始動されるＩＰフローモビリティとの共存を可能にする双方向信号プロトコルに基づいてＵＥとＰＤＮゲートウェイ（ＰＧＷ）との間でＩＰフローモビリティを制御する処理回路部を更に含み得る。他の実施形態も説明及び／または請求項に記載され得る。【特許請求の範囲】
【請求項１】
ユーザ機器（ＵＥ）に実装する装置であって、
少なくとも２つの無線アクセス技術によって多元アクセスパケットデータネットワーク（ＰＤＮ）接続を確立して、前記少なくとも２つの無線アクセス技術に基づいてインターネットプロトコル（ＩＰ）フローモビリティを有効化する信号回路部、及び
ネットワークポリシーに基づいて始動されるＩＰフローモビリティとＵＥポリシーに基づいて始動されるＩＰフローモビリティとの共存を可能にする前記ＵＥとＰＤＮゲートウェイ（ＰＧＷ）との間の双方向信号プロトコルに基づいてＩＰフローモビリティを制御する、前記信号回路部に結合された、処理回路部、
を備える
装置。
【請求項２】
前記双方向信号プロトコルは前記ＵＥ及び前記ＰＧＷで終端し、前記処理回路部は送信制御プロトコル（ＴＣＰ）／ＩＰまたはユーザデータグラムプロトコル（ＵＤＰ）／ＩＰに優先して前記双方向信号プロトコルを使用して、前記ＵＥと前記ＰＧＷとの間でルーティングルールの折衝をさせる、請求項１に記載の装置。
【請求項３】
前記信号回路部は、前記折衝に基づいて前記ＵＥと前記ＰＧＷとの間でルーティングルールを交信させる、請求項２に記載の装置。
【請求項４】
前記処理回路部は、前記多元アクセスＰＤＮ接続が確立されたとき、前記双方向信号プロトコルを使用して前記ＵＥと前記ＰＧＷとの間でネットワークに基づくＩＰフローモビリティ（ＮＢ−ＩＦＯＭ）能力の折衝をさせる、請求項１に記載の装置。
【請求項５】
前記処理回路部は、前記双方向信号プロトコルを使用してＵＥ始動のＩＰフローモビリティを起動し、かつ前記ネットワークポリシー及び前記ＵＥポリシーに基づいてルーティングルールの折衝をさせる、請求項１に記載の装置。
【請求項６】
前記処理回路部は、前記双方向信号プロトコルを使用してネットワーク始動のＩＰフローモビリティを受容または拒絶し、かつ前記ネットワークポリシー及び前記ＵＥポリシーに基づいてルーティングルールの折衝をさせる、請求項１に記載の装置。
【請求項７】
前記少なくとも２つの無線アクセス技術は無線ローカルエリアネットワーク（ＷＬＡＮ）にアクセスするＷｉＦｉ技術を備え、前記処理回路部は前記ＵＥが前記ＷＬＡＮ外にあるとき前記双方向信号プロトコルを使用して前記ＰＧＷに通知し、かつ前記ＰＧＷに対して前記ＷＬＡＮを介した前記ＵＥへのダウンリンクパッケージの送信を停止することを要求する、請求項１に記載の装置。
【請求項８】
前記処理回路部は、前記ＵＥが前記ＷＬＡＮのカバレッジ中に戻ったとき前記双方向信号プロトコルを使用して前記ＰＧＷに通知し、前記ＰＧＷに対して前記ＷＬＡＮを介した前記ＵＥへのダウンリンクパッケージの送信の再開を要求する、請求項７に記載の装置。
【請求項９】
命令であって、ユーザ機器（ＵＥ）に対して、前記ＵＥのプロセッサによる前記命令の実行に応答して、
多元アクセスパケットデータネットワーク（ＰＤＮ）接続によってＵＥ始動のＩＰフローモビリティとネットワーク始動のＩＰフローモビリティとの共存を可能にするＩＰフローモビリティ制御プロトコル（ＩＦＣＰ）に少なくとも部分的に基づいてＵＥとＰＤＮゲートウェイ（ＰＧＷ）との間でＩＰフローモビリティを有効化させ、かつ
前記ＵＥと前記ＰＧＷとの間で、前記ＵＥまたは前記ネットワークによりサポートされるＩＰフローモビリティ（ＮＢ−ＩＦＯＭ）能力の型を示すＩＦＣＰ能力の要求または応答を受信または送信させる、
命令
を備える
１つまたは複数の非一時的コンピュータ可読媒体。
【請求項１０】
前記命令は、実行されると、前記ＵＥに対して更に、
前記ＵＥと前記ＰＧＷとの間で、動作モードを前記ＵＥ始動のＩＰフローモビリティまたは前記ネットワーク始動のＩＰフローモビリティとして示すＩＦＣＰモード要求または応答を受信または送信させる、請求項９に記載の１つまたは複数の非一時的コンピュータ可読媒体。
【請求項１１】
前記命令は、実行されると、前記ＵＥに対して更に、
ＩＦＣＰ中断要求を前記ＰＧＷに送信させて、前記多元アクセスＰＤＮを中断させ、かつ
ＩＦＣＰ再開要求を前記ＰＧＷに送信させて、前記多元アクセスＰＤＮを再開させる、請求項９に記載の１つまたは複数の非一時的コンピュータ可読媒体。
【請求項１２】
前記命令は、実行されると、前記ＵＥに対して更に、
ＩＦＣＰフローモビリティの要求または応答を受信または送信させて、前記ＵＥと前記ＰＧＷとの間でルーティングルールの折衝をさせる、請求項９に記載の１つまたは複数の非一時的コンピュータ可読媒体。
【請求項１３】
前記命令は、実行されると、前記ＵＥに対して更に、
トラヒックのルーティング用の無線アクセスネットワーク（ＲＡＮ）ルールよりもアクセスネットワークの発見及び選択機能（ＡＮＤＳＦ）ルールを優先させ、かつ
ＵＥ始動のルーティングルールよりもネットワーク始動のルーティングルール（ＰＣＣルールまたはＰＣＲＦルール）を優先させ、前記ネットワーク始動のルールは、少なくとも１つのポリシー及び課金制御（ＰＣＣ）ルールまたはポリシー及び課金ルール機能（ＰＣＲＦ）ルールを備える、請求項９に記載の１つまたは複数の非一時的コンピュータ可読媒体。
【請求項１４】
パケットデータネットワークゲートウェイ（ＰＧＷ）であって、
多元アクセスパケットデータネットワーク（ＰＤＮ）接続によってＵＥと通信する通信モジュール、及び
ネットワーク始動のＩＰフローモビリティ型とＵＥ始動のフローモビリティ型との共存を可能にするユーザプレーン双方向信号プロトコルに少なくとも部分的に基づいて、前記ＵＥと前記ＰＧＷとの間でインターネットプロトコル（ＩＰ）フローモビリティを管理する制御モジュール、
を備える、
ＰＧＷ。
【請求項１５】
前記制御モジュールは、前記ＵＥが前記ＰＧＷへの前記多元アクセスＰＤＮ接続を確立するとき、前記ユーザプレーン双方向信号プロトコルを使用して、前記ＵＥと前記ＰＧＷとの間で前記ネットワーク始動のＩＰフローモビリティ型または前記ＵＥ始動のフローモビリティ型の複数の能力パラメータの折衝をさせる、請求項１４に記載のＰＧＷ。
【請求項１６】
前記制御モジュールは、前記ユーザプレーン双方向信号プロトコルを使用して、ＵＥ始動のＩＰフローモビリティセッションを受容または拒絶する、請求項１４に記載のＰＧＷ。
【請求項１７】
前記制御モジュールは、前記ユーザプレーン双方向信号プロトコルを使用して、ネットワーク始動のＩＰフローモビリティセッションを起動してネットワークポリシーに基づくルーティングルールを前記ＵＥに転送する、請求項１４に記載のＰＧＷ。
【請求項１８】
命令であって、パケットデータネットワークゲートウェイ（ＰＧＷ）に対して、前記ＰＧＷのプロセッサによる前記命令の実行に応答して、
ネットワーク始動のＩＰフローモビリティ型とＵＥ始動のフローモビリティ型との共存を可能にするユーザプレーン双方向信号プロトコルに少なくとも部分的に基づいて、ＵＥと前記ＰＧＷとの間でインターネットプロトコル（ＩＰ）フローモビリティを管理させ、かつ
前記ユーザプレーン双方向信号プロトコルを使用させて、前記ＵＥが前記ＰＧＷに対する多元アクセスＰＤＮ接続を確立するとき前記ＵＥと前記ＰＧＷとの間で前記ネットワーク始動のＩＰフローモビリティ型または前記ＵＥ始動のフローモビリティ型の複数の能力パラメータの折衝をさせる、
命令
を備える
１つまたは複数の非一時的コンピュータ可読媒体。
【請求項１９】
前記命令は、実行されると、前記ＰＧＷに対して更に、
前記ユーザプレーン双方向信号プロトコルを使用させて、ポリシー及び課金制御（ＰＣＣ）またはポリシー及び課金ルール機能（ＰＣＲＦ）に基づいてネットワーク始動のＩＰフローモビリティセッションを起動させる、請求項１８に記載の１つまたは複数の非一時的コンピュータ可読媒体。
【請求項２０】
前記命令は、実行されると、前記ＰＧＷに対して更に、
前記ユーザプレーン双方向信号プロトコルを使用させて、ＵＥ始動のＩＰフローモビリティセッションを受容または拒絶させる、請求項１８に記載の１つまたは複数の非一時的コンピュータ可読媒体。
【請求項２１】
前記命令は、実行されると、前記ＰＧＷに対して更に、
前記ネットワーク及び前記ＵＥが前記ユーザプレーン双方向信号プロトコルに基づいてＷＬＡＮに基づくルーティングルールに合意した場合にのみＷＬＡＮを経由してトラヒックのルーティングをさせる、請求項１８に記載の１つまたは複数の非一時的コンピュータ可読媒体。
【請求項２２】
前記命令は、実行されると、前記ＰＧＷに対して更に、
ＵＥ始動のルーティングルールよりもネットワーク始動のルーティングルールを優先させ、かつ
前記ユーザプレーン双方向信号プロトコルを使用してネットワーク始動のルーティングルールを前記ＵＥに転送させる、請求項１８に記載の１つまたは複数の非一時的コンピュータ可読媒体。
【請求項２３】
前記命令は、実行されると、前記ＰＧＷに対して更に、
ＩＦＣＰフローモビリティ要求を受信させるか、またはＩＦＣＰフローモビリティ応答を送信させて、前記ＰＧＷと前記ＵＥとの間でルーティングルールの折衝をさせる、請求項１８に記載の１つまたは複数の非一時的コンピュータ可読媒体。
【発明の詳細な説明】
【技術分野】
【０００１】
［関連出願の相互参照］
本出願は、「ＮＢＩＦＯＭ  ＣＯＮＴＲＯＬ  ＰＲＯＴＯＣＯＬ  ＡＮＤ  ＳＵＰＰＯＲＴ  ＦＯＲ  ＣＯ−ＥＸＩＳＴＥＮＣＥ  ＭＥＣＨＡＮＩＳＭＳ」と題する、２０１５年１月２０日付で出願した米国仮特許出願第第６２／１０５、４５６号の優先権を主張し、その全ての開示はあらゆる目的のために本明細書に組み込まれる。
【０００２】
本開示の実施形態は一般に無線通信の技術分野に関し、特に、双方向ＩＰフローモビリティ制御のための装置及び方法に関する。
【背景技術】
【０００３】
本明細書中に提供する背景技術説明は、本開示の背景状況を一般的に提示するためのものである。本明細書中に別段の指摘がない限り、この項中の説明内容はこの出願の請求項に対する先行技術とはならず、この項中に含めたことによって先行技術であると認めたことにはならず、または先行技術の示唆にもならない。
【０００４】
ネットワークに基づくインターネットプロトコル（ＩＰ）フローモビリティ（ＮＢＩＦＯＭ）に関する第３世代パートナーシッププログラム（３ＧＰＰ）リリース１３（Ｒｅｌ−１３）サービス及びシステム仕様（ＳＡ）の作業項目番号２（ＳＡ２）は、無線ローカルエリアネットワーク（ＷＬＡＮ）を介したプロキシモバイル（ＰＭ）ＩＰｖ６（ＰＭＩＰｖ６またはＰＭＩＰ）と汎用パケット無線サービス（ＧＰＲＳ）トンネリングプロトコル（ＧＴＰ）に基づくＳ２ａ及びＳ２ｂインターフェースとに対するＩＰフローモビリティ機能性を規定している。これまでは、異なるアクセス（例えば、３ＧＰＰアクセス及びＷＬＡＮアクセス）にわたる同一のパケットデータネットワーク（ＰＤＮ）接続に属する個々のＩＰフローの移動は、ＤＳＭＩＰｖ６等のクライアントに基づくＩＰフローモビリティ（ＩＦＯＭ）の管理プロトコルを使用してのみ行い得るものであった。
【０００５】
実施形態は、添付の図面と共に以下の詳細な説明により容易に理解されるであろう。この説明を容易にするために、類似する参照番号は類似する構成要素を示すものとする。実施形態は例示目的で図示され、添付の図面の各図中のものに限定することを目的とするものではない。
【図面の簡単な説明】
【０００６】
【図１】種々の実施形態に従って、ＩＰフローモビリティ制御プロトコル（ＩＦＣＰ）によって通信が可能になる無線通信システムを概略的に示す。
【図２】種々の実施形態に従って、ＩＦＣＰによって通信が可能になるユーザ機器（ＵＥ）及びパケットデータネットワークゲートウェイ（ＰＧＷ）を示す概略ブロック図である。
【図３】種々の実施形態に従って、ＵＥとＰＧＷとの間でＩＰフローモビリティを有効化する処理を示すフローチャートである。
【図４】種々の実施形態に従って、ＵＥとＰＧＷとの間でＩＰフローモビリティを有効化する別の処理を示すフローチャートである。
【図５】種々の実施形態に従って、ＵＥとＰＧＷとの間でＩＰフローモビリティを有効化する更に別の処理を示すフローチャートである。
【図６】本明細書に説明する種々の実施形態を実施するために使用され得る例示的コンピューティングデバイスのブロック図である。
【図７】種々の実施形態に従って、本開示の態様を導入した、プログラミング命令を有する製造物品を示す。
【発明を実施するための形態】
【０００７】
本開示の実施形態では、双方向インターネットプロトコル（ＩＰ）フローモビリティ（ＩＦＯＭ）制御のための装置及び方法を説明する。種々の実施形態は、少なくとも２つの無線アクセス技術によって多元アクセスパケットデータネットワーク（ＰＤＮ）接続を確立する信号回路部を有するユーザ機器（ＵＥ）を含み、これらの少なくとも２つの無線アクセス技術に基づいてＩＰフローモビリティを有効化し得る。ＵＥは、ネットワークポリシーに基づいて始動されるＩＰフローモビリティとＵＥポリシーに基づいて始動されるＩＰフローモビリティとの共存を可能にする双方向信号プロトコルに基づいてＵＥとパケットデータネットワークゲートウェイ（ＰＧＷ）との間でＩＰフローモビリティを制御する処理回路部を更に含み得る。本開示のこれらの及び他の態様をより十分に以下に説明することとする。
【０００８】
以下の詳細な説明では、本明細書の一部を形成する添付の図面への参照を行うが、図面中類似する数字は全体を通して類似する部分を示し、実施し得る実施形態を説明目的で示すこととする。他の実施形態も利用可能であり、構造的または論理的な変更も本開示の範囲から逸脱することなく行い得ることを理解すべきである。
【０００９】
種々の動作は、多数の個別の作用または動作として、言い換えれば、請求項の主題を理解する上で最も役立つように説明され得る。しかし、説明の順番は、これらの動作が必ずしも順番に依存するものであることを暗示するようには解すべきではない。特に、これらの動作は、提示順に遂行され得るものではない。説明する動作は、説明する実施形態とは異なる順番にも行い得る。種々の追加の動作も行い得及び／または説明する動作は追加の実施形態中で省略され得る。
【００１０】
本開示の目的で、「Ａ及び／またはＢ」の語句は、（Ａ）、（Ｂ）、または（Ａ及びＢ）を意味する。本開示の目的で、語句「Ａ、Ｂ、及び／またはＣ」は、（Ａ）、（Ｂ）、（Ｃ）、（Ａ及びＢ）、（Ａ及びＣ）、（Ｂ及びＣ）、または（Ａ、Ｂ、及びＣ）を意味する。説明には、１つまたは複数の同一のまたは異なる実施形態を各々指す語句「実施形態で、（ｉｎ  ａｎ  ｅｍｂｏｄｉｍｅｎｔ、）」または「実施形態で、（ｉｎ  ｅｍｂｏｄｉｍｅｎｔｓ、）」が使用され得る。更に、「備える」、「含む」、「有する」等の用語は、本開示の実施形態に関して使用する場合には同義である。
【００１１】
本明細書中の使用では、「回路部」の用語は、説明する機能性を提供する１つまたは複数のソフトウェアまたはファームウェアプログラム、組合せ論理回路、及び／または他の好適なハードウェア構成部品を実行する特定用途向け集積回路（ＡＳＩＣ）、電子回路、プロセッサ（共有、専用、または群）、及び／またはメモリ（共有、専用、または群）の一部を指し得るか、または含み得る。
【００１２】
本明細書中の使用では、「モジュール」の用語は、説明する機能性を提供する１つまたは複数のソフトウェアまたはファームウェアプログラム、組合せ論理回路、及び／または他の好適な構成部品を実行する特定用途向け集積回路（ＡＳＩＣ）、電子回路、プロセッサ（共有、専用、または群）、及び／またはメモリ（共有、専用、または群）の一部を指し得るか、または含み得る。種々の実施形態で、モジュールは、ファームウェア及びハードウェアの任意の組合せに実装され得る。
【００１３】
図１は、種々の実施形態に従って、ＩＰフローモビリティ制御プロトコル（ＩＦＣＰ）により通信を可能にする無線通信システム１００を概略的に示す。無線通信システム１００は、ユーザ機器（ＵＥ）１１０、ＷＬＡＮネットワーク１２０、セルラーネットワーク１３０、ＰＧＷ１４０、及びアクセスポイント名（ＡＰＮ）１５０を含み得、多元アクセスパケットデータネットワーク（ＰＤＮ）接続内で一の道筋から別の道筋への一部のＩＰフローを移動する等の、ＩＰフローモビリティを有効化する。更に、そのようなＩＰフローモビリティは、ネットワークポリシーに基づいて始動されるＩＰフローモビリティとＵＥポリシーに基づいて始動されるＩＰフローモビリティとの共存を可能にする双方向信号プロトコルにより始動、折衝、及び管理され得る。
【００１４】
移動体通信技術は、ＵＥ１１０とＷＬＡＮネットワーク１２０またはセルラーネットワーク１３０との間でデータを送信するための種々の規格及びプロトコルに依存し得る。無線通信システム標準及びプロトコルには、例えば、３ＧＰＰ  ＬＴＥ、マイクロ波アクセス（ＷｉＭＡＸ（登録商標））の世界的相互運用性として業界団体に一般に公知である米国電気電子技術者協会（ＩＥＥＥ）８０２．１６規格、及びＷｉ−Ｆｉ（登録商標）として一般に公知であるＩＥＥＥ８０２．１１規格が含まれ得る。ロング・ターム・エボリューション（ＬＴＥ）に従った３ＧＰＰ無線アクセスネットワーク（ＲＡＮ）では、基地局は進化型ノードＢと呼ばれ得る（ｅＮｏｄｅＢ、またはｅＮＢとも一般に標記される）。本開示は、３ＧＰＰシステム及び複数の規格を概ね対象とした専門用語及び実施例を用いて提示することとするが、本明細書に開示する教示は、いかなる型の無線ネットワークまたは通信標準に対しても適用可能である。
【００１５】
ＵＥ１１０は多数の無線アクセス技術により他のデバイスと通信し得る。一部の実施形態で、ＵＥ１１０は、モバイル通信デバイス、加入者局、または適当なプロトコル（例えば、多入出力（ＭＩＭＯ）通信方式）に従って、ＷＬＡＮネットワーク１２０及び／またはセルラーネットワーク１３０と通信するように構成された別のデバイスであり得る。種々の実施形態中の例として、ＵＥ１１０は、基地局、例えば、セルラーネットワーク１３０中のｅＮＢ１３２、を有する無線リンクを経由してセルラーネットワーク１３０にアクセスし得る。ダウンリンク（ＤＬ）送信はｅＮＢ１３２からＵＥ１１０への通信であり得る。アップリンク（ＵＬ）送信はＵＥ１１０からｅＮＢ１３２への通信であり得る。
【００１６】
種々の実施形態で、ＷＬＡＮネットワーク１２０は、無線パーソナルエリアネットワーク（ＷＰＡＮ）、無線ローカルエリアネットワーク（ＷＬＡＮ）、無線メトロポリタンエリアネットワーク（ＷＭＡＮ）、及び／または無線広域ネットワーク（ＷＷＡＮ）の種々の組合せを含み得る。ＷＬＡＮネットワーク１２０は、例えば、少なくとも１つのＷＬＡＮにアクセスするための、ＷｉＦｉまたはＷｉＭＡＸ等の、ＩＥＥＥ８０２．ｘに基づく無線アクセス技術の変形に関してライセンスされていないスペクトルで動作する装置１００に対するインターフェースを提供し得る。一部の実施形態で、ＷＬＡＮネットワーク１２０はまた、とりわけ、ＩｒＤＡ、ブルートゥース（登録商標）、近距離通信（ＮＦＣ）、ユニバーサルシリアルバス（ＵＳＢ）等の、近距離有線または無線通信を通して装置ＵＥ１１０が通信するのを可能にし得る。
【００１７】
種々の実施形態で、ＷＬＡＮネットワーク１２０は、信頼型無線アクセスゲートウェイ（ＴＷＡＮ）１２２または進化型パケットデータゲートェイ（ｅＰＤＧ）１２４を含み得る。非３ＧＰＰアクセスは、Ｗｉ−Ｆｉ、ＷｉＭＡＸ等からのアクセスを含み得、信頼型及び／または無信頼型非３ＧＰＰアクセスであり得る。信頼型Ｗｉ−Ｆｉアクセスは、Ｗｉ−Ｆｉ無線アクセスネットワーク（ＲＡＮ）中の暗号化と保護認証方法とを用いたオペレータ構築のＷｉ−Ｆｉアクセスを含み得る。一部の実施形態で、ＵＥ１１０は、ＴＷＡＧ１２２を通してＷＬＡＮネットワーク１２０に接続し得る。ＴＷＡＧ１２２は、保護トンネル（例えば、ＧＴＰ、ＭＩＰ、またはＰＭＩＰ）を通して進化型パケットコア（ＥＰＣ）中のＰＧＷ１４０に次に接続し得る。
【００１８】
種々の実施形態で、無信頼型アクセスは、認証及び無線リンク暗号化等の十分なセキュリティ手段を提供しない他の型のＷｉ−Ｆｉアクセスを含み得る。無信頼型モデルは、インターネットプロトコルセキュリティ（ＩＰＳｅｃ）クライアントをＵＥ１１０に要し得る。ＵＥ１１０は、保護ＩＰＳｅｃトンネルを通してｅＰＤＧ１２４に接続し得る。ｅＰＤＧ１２４は次にＰＧＷ１４０に接続し得、各ユーザセッションは保護トンネル（例えば、ＧＴＰまたはＰＭＩＰ）を通して移送され得る。
【００１９】
セルラー話ネットワーク１３０は、ＵＥ１１０及びＰＧＷ１４０に接続され得る。種々の実施形態で、セルラーネットワーク１３０は、汎欧州デジタル移動体通信システム（ＧＳＭ（登録商標））、汎用パケット無線サービス（ＧＰＲＳ）、ユニバーサル移動体通信システム（ＵＭＴＳ）、高速パケットアクセス（ＨＳＰＡ）、進化型ＨＳＰＡ（Ｅ−ＨＳＰＡ）、またはロング・ターム・エボリューション（ＬＴＥ）ネットワーク等の、１つまたは複数の無線アクセスネットワークを含み得る。一部の実施形態で、無線アクセスネットワークは、ＧＳＭ（登録商標）進化型（ＥＤＧＥ）無線アクセスネットワーク（ＧＥＲＡＮ）、汎用地上波無線アクセスネットワーク（ＵＴＲＡＮ）、または進化型ＵＴＲＡＮ（Ｅ−ＵＴＲＡＮ）用のＧＳＭ（登録商標）拡張版データ速度を含み得る。セルラーネットワーク１３０は、他の実施形態では他のネットワーク技術に従って動作し得る。種々の実施形態で、ＵＥ１１０は、インターフェースを使用してＣＤＭＡ、ＷＣＤＭＡ（登録商標）、ＵＭＴＳ、ＧＳＭ（登録商標）、またはＬＴＥ等の、セルラー無線アクセス技術に関するライセンスされたスペクトルでセルラーネットワーク１３０と通信し得る。
【００２０】
種々の実施形態で、セルラーネットワーク１３０は、ｅＮＢ１３２及びサービングゲートウェイ（ＳＧＷ）１３４を含み得る。一部の実施形態で、ＳＧＷ１３４は、例えば、Ｓ１インターフェースを介して、ｅＮＢ１３２と通信し得る。Ｓ１インターフェースは、３ＧＰＰ  ＴＳ３６．４１０Ｖ１１．１．０（２０１３−０９）中に規定されたＳ１インターフェースと同様であり得、ＳＧＷ１３４及びｅＮＢ１３２の間で多対多関係をサポートし得る。例えば、異なるオペレータは、ネットワーク共有設定で同一のｅＮＢを同時に動作し得る。一部の実施形態で、ｅＮＢ１３２とＵＥ１１０との間の通信は、ＳＧＷ１３４を経由して容易化され得る。ＳＧＷ１３４は、信号交信、例えば、ＵＥ１１０の認証、を管理するか、またはＵＥ１１０とＰＧＷ１４０との間の通信リンクの確立に関する他の作用を行うように構成され得る。一部の実施形態で、ＳＧＷ１３４は、例えば、ＵＥ１１０が停止モード時に、ユーザ機器の追跡及びページングを担い得る。
【００２１】
ＰＧＷ１４０は、セルラーネットワーク１３０等の、例えば、ＵＥ１１０のモバイルパケットコアネットワークから他の多くのパケットデータネットワーク（例えば、インターネット）にＵＥ１１０がアクセスするゲートウェイを提供し得る。種々の実施形態では、多元アクセスＰＤＮ接続でのフロー当りモビリティは、本明細書に開示するＩＦＣＰ等の双方向信号プロトコルを使用して、ＵＥ１１０またはＰＧＷ１４０により起動され得る。ＩＦＣＰは、ＵＥ１１０またはＰＧＷ１４０中で終端し得る。ＩＦＣＰメッセージは、ＵＤＰ／ＩＰまたはＴＣＰ／ＩＰを介してレイヤ３で移送され得る。一部の実施形態で、ＩＦＣＰプロトコルは、多元アクセスＰＤＮ接続を介してＵＥ始動及びネットワーク始動のＩＰフローモビリティをサポートするために、多元アクセスＰＤＮ接続の（例えば、３ＧＰＰ及びＷＬＡＮアクセスを介した）確立後に使用し得る。
【００２２】
種々の実施形態で、ＵＥ１１０は、新たなＰＤＮ接続が確立されたときＰＧＷ１４０とＮＢＩＦＯＭ能力の折衝をし得る。ＵＥ１１０は、ＰＧＷ１４０にルーティングルールを転送して、ＵＥ始動のＩＰフローモビリティを起動し得る。ＵＥ１１０は、ＰＧＷ１４０により始動されたＩＰフローモビリティ要求を受容または拒絶し得る。ＵＥ１１０は、ＵＥ１１０がＷＬＡＮのカバレッジ外にあるときＰＧＷ１４０に通知して、次に一部のフローを中断し得る。同一のトークンにより、ＵＥ１１０はＵＥ１１０がカバレッジ中に戻ったときＰＧＷ１４０に通知して、フローを再開し得る。
【００２３】
種々の実施形態で、ＰＧＷ１４０も同様に、新たなＰＤＮ接続が確立されたときＮＢＩＦＯＭ能力の折衝をし、ネットワーク始動のＩＰフローモビリティを起動してルーティングルールをＵＥ１１０に転送し得る。更に、ＰＧＷ１４０はまた、ＵＥ始動のＩＰフローモビリティを受容または拒絶し得る。
【００２４】
種々の実施形態で、ＵＥ１１０及びＰＧＷ１４０の間の多元アクセスＰＤＮ接続の下位レイヤ２のリンクは論理的に結合され得るので、これらのレイヤ２のリンクはＩＰプロトコルスタックに対する単一インターフェースとして見られ得る。種々の実施形態で、ＰＧＷ１４０は、ＡＰＮ１５０等の、同一のＡＰＮに対する多元アクセスＰＤＮ接続をサポートし得る。
【００２５】
種々の実施形態で、ＡＰＮ１５０は、ＵＥ１１０が通信の標的とし得る標的ＰＤＮを識別し得る。標的ＰＤＮの識別に加えて、ＡＰＮ１５０は、ＰＤＮにより提供されるサービスの型、例えば、ワイヤレスアプリケーションプロトコル（ＷＡＰ）サーバ及び／またはマルチメディアメッセージングサービス（ＭＭＳ）に対する接続等、を規定し得る。種々の実施形態で、ＡＰＮ１５０は、ＧＰＲＳ、３Ｇまたは４Ｇモバイルネットワークと別のコンピュータネットワークとの間にゲートウェイを含み得る。例として、ＡＰＮ１５０は、ボイスオーバーＬＴＥ（ＶｏＬＴＥ）のＡＰＮであり得る。別の例として、ＡＰＮ１５０は、ＩＰマルチメディアサブシステム（ＩＭＳ）サービスのＡＰＮであり得る。更に別の例として、ＡＰＮ１５０は、ボイスオーバーデータ（ＶｏＤ）サービスの型のＡＰＮであり得る。更に別の例として、ＡＰＮ１５０はインターネットＡＰＮであり得る。
【００２６】
解説を容易にするために、本明細書中の種々の説明は、通信システム１００中で３ＧＰＰに従うように提供するが、本開示の主題はこの点で限定されない。本明細書に開示する実施形態は、他の有線または無線の通信プロトコルまたはネットワークにも好都合に適用され得る。
【００２７】
図２は、種々の実施形態に従って、ＩＦＣＰとの通信を可能にされるＵＥ及びＰＧＷを示す概略ブロック図である。ＵＥ２１０は、図１のＵＥ１１０と同様であり、これと実質的に互換的であり得る。ＰＧＷ２２０は、図１のＰＧＷ１４０と同様であり、これと実質的に互換的であり得る。
【００２８】
種々の実施形態で、ＵＥ２１０は、１つまたは複数のアンテナ２１８及び通信モジュール２１２を含み得る。種々の実施形態で、通信モジュール２１２は、図示のように信号回路部２１４及び処理回路部２１６を含み得る。種々の実施形態で、信号回路部２１４は別個のモジュール中にあり得る。種々の実施形態で、処理回路部２１６は別個のモジュール中にあり得る。種々の実施形態で、信号回路部２１４及び処理回路部は、別個のモジュール中にあり得、または両者共異なるモジュール中にあり得る。種々の実施形態で、通信モジュール２１２はアンテナ２１８と結合されて、ＵＥ２１０と他の無線デバイスとの間で信号の無線通信を容易にし得る。例えば、信号回路部２１４は、好適な特性を有するアンテナ２１８への信号に対する種々の信号処理動作を提供するように構成され得る。種々の実施形態で、信号回路部２１４の動作には、フィルタリング、増幅、記憶、変調、復調、及び変換等の動作／処理が例として限定されずに含まれ得るが、これらに限定はされない。
【００２９】
一部の実施形態で、ＵＥ２１０は１つまたは複数のアンテナ２１８を含み、多数のそれぞれのコンポーネントキャリアの無線リソースを同時に利用し得る。例えば、ＵＥ２１０は、（例えば、ダウンリンク通信中に）直交周波数分割多元アクセス（ＯＦＤＭＡ）及び／または（例えば、アップリンク通信中に）シングルキァリア周波数分割多元アクセス（ＳＣ−ＦＤＭＡ）を使用して通信するように構成され得る。一部の実施形態で、ＵＥ２１０は信号回路部２１４を使用して、ＬＴＥ  ＰｒｏＳｅまたはＬＴＥ  Ｄｉｒｅｃｔを経由して別のＵＥと通信し得る。
【００３０】
信号回路部２１４は、アンテナ２１８から信号を受信し、次いでその信号をＵＥ２１０の他の構成部品、例えば、内部処理用の処理回路部２１６、に送信するように構成され得る。種々の実施形態で、処理回路部２１６は、多元アクセスパケットデータネットワーク（ＰＤＮ）接続によりＵＥ始動のＩＰフローモビリティとＰＤＮ−ＧＷ始動のＩＰフローモビリティとの共存を可能にするＩＦＣＰに少なくとも部分的に基づいて、ＵＥ２１０とＰＧＷ２２０との間でＩＰフローモビリティを有効化し得る。
【００３１】
一部の実施形態で、ＵＥ２１０の処理回路部２１６は、ＰＧＷによりサポートされるネットワークに基づくＩＰフローモビリティ（ＮＢＩＦＯＭ）の能力の型に関して、ＩＦＣＰ能力要求をＰＧＷ２２０に送信し得る。ＰＧＷ２２０は、ＰＧＷ２２０の能力についての情報を提供する応答をＵＥ２１０に送信し得る。処理回路部は、ＵＥ２１０によりサポートされるＮＢＩＦＯＭ能力の型に関して、ＩＦＣＰ能力要求をＰＧＷ２２０から受信し得、ＵＥ２１０は、ＵＥ２１０の能力についての情報を提供する応答をＰＧＷ２２０に送信し得る。
【００３２】
一部の実施形態で、処理回路部２１６は、ネットワーク始動のＩＰフローモビリティに対するＩＰフローモビリティの動作モードを示すＩＦＣＰモード要求をＰＧＷから受信し得る。処理回路部２１６は、ＵＥ始動のＩＰフローモビリティに対するＩＰフローモビリティの動作モードを示すＩＦＣＰモード要求をＰＧＷに送信し得る。処理回路部２１６は、ＵＥ始動のＩＰフローモビリティに対するＩＰフローモビリティの動作モードを示すＩＦＣＰモード応答をＰＧＷから受信し得る。処理回路部２１６は、ネットワーク始動のＩＰフローモビリティに対するＩＰフローモビリティの動作モードを示すＩＦＣＰモード応答をＰＧＷに送信し得る。
【００３３】
処理回路部２１６は、多元アクセスＰＤＮを中断するためのＩＦＣＰ中断要求をＰＧＷに送信し得る。処理回路部２１６は、多元アクセスＰＤＮを再開するためのＩＦＣＰ再開要求をＰＧＷに送信し得る。
【００３４】
処理回路部２１６は、ＵＥとＰＧＷとの間でルーティングルールの折衝をさせるためのＩＦＣＰフローモビリティ要求を受信し得る。処理回路部２１６は、ＵＥとＰＧＷとの間でルーティングルールの折衝をさせるためのＩＦＣＰフローモビリティ要求を送信し得る。処理回路部２１６は、ＵＥとＰＧＷとの間でルーティングルールの折衝をさせるためのＩＦＣＰフローモビリティ応答を受信し得る。処理回路部２１６は、ＵＥとＰＧＷとの間でルーティングルールの折衝をさせるためのＩＦＣＰフローモビリティ応答を送信し得る。
【００３５】
処理回路部２１６は、トラヒックのルーティング用のＲＡＮルールよりもアクセスネットワーク発見及び選択機能（ＡＮＤＳＦ）ルールを優先させ得る。処理回路部２１６は、ＵＥ始動のルーティングルールよりもネットワーク始動のルーティングルールを優先させ得る。
【００３６】
信号回路部２１４及び／または処理回路部２１６の一部または全部は、図６に関して後述するように、例えば、アプリケーション回路部６３０、無線周波数（ＲＦ）回路部６１０またはベースバンド回路部６２０の中に含み得る。種々の実施形態で、ＵＥ２１０は、単一センサデバイス、携帯電話機、パーソナルコンピュータ（ＰＣ）、ノートブック、ウルトラブック、ネットブック、スマートフォン、ウルトラモバイルＰＣ（ＵＭＰＣ）、ハンドヘルド型モバイルデバイス、汎用集積回路カード（ＵＩＣＣ）、携帯情報端末（ＰＤＡ）、顧客構内設備（ＣＰＥ）、タブレットコンピューティングデバイス、またはＭＰ３プレーヤ、デジタルカメラ等の他の消費者用家電製品であり得るか、これらを含み得るか、またはこれらに含まれ得る。一部の実施形態で、ＵＥ２１０は、ＩＥＥＥ８０２．１６e（２００５）または８０２．１６ｍ（２００９）またはＩＥＥＥ８０２．１６標準の何らかの他の改訂版により規定される移動端末、もしくは３ＧＰＰ  ＬＴＥリリース８（２００８）、リリース９（２００９）、リリース１０（２０１１）、リリース１２（２０１４）、リリース１３（開発中）、または３ＧＰＰ  ＬＴＥ標準の何らかの他の改訂版またはリリースにより規定されるユーザ機器を含み得る。
【００３７】
種々の実施形態で、ＰＧＷ２２０は、互いに結合された制御モジュール２２２及び通信モジュール２２４を含んで、ＰＤＮ−ＧＷ始動のＩＰフローモビリティ型とＵＥ始動のフローモビリティ型との共存を可能にするユーザプレーン双方向信号プロトコルに少なくとも部分的に基づいて、ＵＥ２１０とＰＤＮ−ＧＷとの間でインターネットプロトコル（ＩＰ）フローモビリティを管理し得る。
【００３８】
一部の実施形態で、通信モジュール２２４は、Ｓ２インターフェース２２６及びＳ５／Ｓ８インターフェース２２８を含んで、異なる無線技術を有する通信ネットワークと通信し得る。種々の実施形態で、ＰＧＷ２２０は、Ｓ２インターフェース２２６（例えば、Ｓ２ａまたはＳ２ｂインターフェースを含む）をサポートするＳ２制御及びデータプレーンスタックを含んで、例えば、図１のＴＷＡＮ１２２またはｅＰＤＧ１２４と通信し得る。他方、ＰＧＷ２２０は、Ｓ５／Ｓ８インターフェース２２８をサポートするＳ５／Ｓ８制御及びデータプレーンスタックを含んで、例えば、図１のＳＧＷ１３４と通信し得る。一部の実施形態で、Ｓ５／Ｓ８インターフェース２２８用の統合制御／データプレーンスタックは、ＩＰ、ＵＤＰ、eＧＴＰ-Ｃ等を含み得る。
【００３９】
一部の実施形態で、ＩＦＣＰメッセージは、ＵＥ２１０とＰＧＷ２２０との間でＷＬＡＮネットワークを通してＳ２ａインターフェース（例えば、ＧＴＰまたはＰＭＩＰｖ６を経由）またはＳ２ｂインターフェース（例えば、ＧＴＰまたはＰＭＩＰｖ６を経由）を経由して移送され得る。一部の実施形態で、ＩＦＣＰメッセージは、ＵＥ２１０とＰＧＷ２２０との間でセルラーネットワークを通してＳ５インターフェースを経由して移送され得る。種々の実施形態で、ＩＦＣＰは、例えば、動的ポリシー及び課金制御（ＰＣＣ）が展開されたとき、ＵＥ２１０、ＰＧＷ２２０、及びポリシー制御及び課金ルール機能（ＰＣＲＦ）（図示せず）のみに影響を与え得る。種々の実施形態で、ＩＦＣＰセッションを確立するために、ＰＧＷ２２０のＩＰアドレスはＰＤＮ接続の確立中にＵＥ２１０に提供され得る。更に、ＩＦＣＰは、ＵＥ２１０とＰＧＷ２２０との間でセキュリティ用のＩＰＳｅｃまたはデータグラム移送レイヤセキュリティ（ＤＴＬＳ）を使用し得る。
【００４０】
図３は、種々の実施形態に従って、ＵＥとＰＧＷとの間でＩＰフローモビリティを有効化する処理を説明するフローチャートである。処理３００は、ＵＥ、例えば、図１のＵＥ１１０または図２のＵＥ２１０、により行われ得る。種々の実施形態で、処理３００は、ＵＥがＩＦＣＰを利用してＩＰフローモビリティを管理するのを可能にし得る。
【００４１】
処理３００は、多元アクセスパケットデータネットワーク（ＰＤＮ）接続によりＵＥ始動のＩＰフローモビリティとネットワーク始動のＩＰフローモビリティとの共存を可能にするＩＦＣＰに少なくとも部分的に基づいてＵＥとＰＧＷとの間でＩＰフローモビリティを有効化することを３１０で含み得る。
【００４２】
種々の実施形態で、ＩＦＣＰは、ネットワーク（ＰＣＣ／ＰＣＲＦルール）及びクライアント（ＡＮＤＳＦ、ＲＡＮルール）始動のＩＰフローモビリティのトリガ及びポリシー間で共存機構を有効化し得る。例として、種々の実施形態で、ＩＦＣＰは、ＵＥ及びＰＧＷがＵＥとＰＧＷとの間でルーティングフィルタの折衝及び交信をするのを可能にする。したがって、ＩＰフローモビリティは、ネットワークポリシー（ＰＣＣ／ＰＣＲＦルール）に基づいて、または（ＡＮＤＳＦまたはＲＡＮルール）等のクライアントポリシーに基づいて始動されて、ネットワークに基づくフローモビリティをサポートし得る。同様に、ＩＰフローモビリティのトリガは、ＵＥ及びネットワーク中で始動され得る。本明細書に開示するＩＦＣＰは、これらのシナリオの間でそのような共存機構を提供し得るので、対立が解消されて異なる展開のシナリオがサポートされ得る。
【００４３】
ＩＦＣＰは、ＵＤＰ／ＩＰまたはＴＣＰ／ＩＰより上位のレイヤ３にサポートされ得る。ユーザプレーンの信号解決策として、ＵＥまたはＰＧＷは、ＩＦＣＰを経由してピアエンティティ（例えば、ＰＧＷ／ＵＥそれぞれ）にＩＰフロールーティング設定の変更を通知し得る。このユーザプレーンの信号解決策は、少数のエンティティ、例えば、ＵＥ、Ｐ−ＧＷ及びＰＣＲＦ、にのみ影響を与えることにより、他のネットワークエンティティ（例えば、ＭＭＥ、Ｓ−ＧＷ、ＴＷＡＧ、ｅＰＤＧ、ＡＡＡサーバ及び対応するプロトコル（ＧＴＰ−Ｃ、ＥＡＰ、ＷＬＣＰ、ＩＫＥｖ２及びＮＡＳ））には影響を及ぼさずにＩＰフローモビリティを有効化し得る。ＩＦＣＰはまた、Ｓ２ａ空間チャネルモジュール（ＳＣＭ）を使用するとき、ＷＬＡＮを有効化して不良なセルラー接続からＷＬＡＮへのＩＰフローのルーティングでスイッチに信号送信し得るが、これには現存の制御プレーンの信号送信手法において問題がある。
【００４４】
処理３００は、ＵＥまたはＰＧＷによりサポートされるＮＢ−ＩＦＯＭ能力を示すＩＦＣＰ能力要求または応答のＵＥとＰＧＷとの間での受信または送信（送出）を３２０で更に含み得る。一部の実施形態で、ＩＦＣＰ能力要求／応答のＩＦＣＰメッセージは、（例えば、表１及び表２に示すように）ＵＥまたはＰＧＷに対してそれらのＮＢ−ＩＦＯＭ能力について問合せるために使用され得る。種々の実施形態で、ＵＥまたはＰＧＷは、他のピアに対するネットワークに基づくＩＰフローモビリティ（ＮＢＩＦＯＭ）のサポートについて確かめ得、この他のピアはＮＢＩＦＯＭ能力がサポートされるか否かを示すＢｏｏｌｅａｎ  ＮＢＩＦＯＭ能力サポートで応答する。したがって、ＵＥ及びＰＧＷはそれらのそれぞれのＮＢＩＦＯＭ能力を通信し得る。
【表１】
2018506871.tif 000002
【表２】
2018506871.tif 000003
【００４５】
図４は、種々の実施形態に従って、ＵＥとＰＤＮゲートウェイ（ＰＧＷ）との間でＩＰフローモビリティを有効化する別の処理４００を示すフローチャートである。処理４００は、ＵＥ、例えば、図１のＵＥ１１０または図２のＵＥ２１０、により行われ得る。種々の実施形態で、処理４００は、ＵＥがＩＦＣＰを利用してＩＰフローモビリティを管理するのを可能にし得る。
【００４６】
処理４００は、動作モードをＵＥ始動のＩＰフローモビリティまたはネットワーク始動のＩＰフローモビリティとして示すＩＦＣＰモード要求または応答のＵＥとＰＧＷとの間での受信または送信（送出）を４１０で含み得る。一部の実施形態で、ＩＦＣＰモード設定要求／応答のＩＦＣＰメッセージは、（例えば、表３及び表４に示すように）ＵＥ動作モードまたはネットワーク動作モードのいずれかを設定するために使用され得る。ＵＥは、ＵＥがルーティングルールの変更を始動するＵＥ動作モードを設定し得る。ＰＧＷは、ＰＧＷにより始動されるネットワーク動作モードに対してルールを受容／拒絶し得、その逆もまた可能である。
【表３】
2018506871.tif 000004
【表４】
2018506871.tif 000005
【００４７】
処理４００は、ＩＦＣＰフローモビリティ要求または応答の受信または送信（送出）を４２０で更に含み、ＵＥとＰＧＷとの間でルーティングルールついて折衝させ得る。一部の実施形態で、ＩＦＣＰフローモビリティ要求／応答のＩＦＣＰメッセージは、（例えば、表５及び表６に示すように）ＵＥまたはＰＧＷによりＩＦＣＰフローモビリティ要求メッセージのピアにルーティングルールを送信するために使用され得、このピアはルーティングルールが容認され得るのかのＩＦＣＰフローモビリティ応答メッセージ中の応答符号で応答し得る。
【００４８】
種々の実施形態で、ルーティングルールは、種々のパラメータ、例えば、ルーティングフィルタ、ルーティングアクセス情報、ルーティングルール優先度、ルーティングルール識別子等、を含み得る。ルーティングフィルタは、１つまたは複数のＩＰフローの識別に使用されるＩＰヘッダパラメータ値／範囲を含み得る。ルーティングアクセス情報は、ＩＰフローをルーティングするアクセスの型を識別し得る。ルーティングルールに対してユーザトラヒックを適合させる目的で、ルーティングルール優先度の順でフィルタが適用され得る。ルーティングルール識別子は、一のＰＤＮ接続に対するルーティングルールを独自に識別し得る。ルーティングルール識別子は、ルーティングルールを作成するエンティティ、例えば、ＵＥ始動のＮＢＩＦＯＭモードのＵＥにより、及びネットワーク始動のＮＢＩＦＯＭモードのＰＧＷ、により割当てられ得る。ルーティングルール情報は、ＰＣＯデータ型中にカプセル化され得る。
【表５】
2018506871.tif 000006
【表６】
2018506871.tif 000007
【００４９】
処理４００は、ＩＦＣＰ中断／再開要求のＰＧＷへの送信（送出）を４３０で更に含み、多元アクセスＰＤＮを中断／再開させ得る。種々の実施形態で、ＵＥは、中断要求（例えば、表７に示す）をＰＧＷへ送信（送出）して、特定のＰＤＮ接続を中断させ得る。同様に、ＰＧＷは、中断応答（例えば、表８に示す）をＵＥに送信して、中断要求に応答し得る。同一のトークンにより、ＵＥは、再開要求（例えば、表９に示す）をＰＧＷに送信して、特定のＰＤＮ接続を再開させ得る。同様に、ＰＧＷは、再開応答（例えば、表１０に示す）をＵＥに送信して、再開要求に応答し得る。
【表７】
2018506871.tif 000008
【表８】
2018506871.tif 000009
【表９】
2018506871.tif 000010
【表１０】
2018506871.tif 000011
【００５０】
図５は、種々の実施形態に従って、ＵＥとＰＤＮゲートウェイ（ＰＧＷ）との間でＩＰフローモビリティを有効化する更に別の処理５００を示すフローチャートである。処理５００は、ＰＧＷ、例えば、図１のＰＧＷ１４０または図２のＰＧＷ２２０、により行われ得る。
【００５１】
処理５００は、ネットワーク始動のＩＰフローモビリティ型とＵＥ始動のフローモビリティ型との共存を可能にするユーザプレーン双方向信号プロトコル（例えば、ＩＦＣＰ）に少なくとも部分的に基づいてＵＥとＰＧＷとの間でインターネットプロトコル（ＩＰ）フローモビリティを管理することを５１０で含み得る。一部の実施形態で、ＩＦＣＰは、ＵＥまたはＰＧＷが単一の手順／メッセージを使用して多数のＩＰフローの移動を有効化し得る。
【００５２】
一部の実施形態で、ＩＦＣＰは、ＵＥまたはＰＧＷがルーティングルールの折衝、受容、または拒絶をするのを可能にし得る。一部の実施形態で、ＩＦＣＰは、Ｓ２ａ  ＳＣＭまたはＰＭＩＰを利用するネットワークを含めて、任意の標的ネットワークを介してＵＥまたはＰＧＷがルーティングルールを転送するのを可能にし得る。一部の実施形態で、ＰＧＷがＮＢＩＦＯＭ  ＰＤＮ接続についてのＩＦＣＰのトラヒックを許容するとき、ＩＦＣＰはオーバーヘッドを低減し得、その課金及び使用モニタカウンタに対してこれを考慮に入れ得る。一部の実施形態で、ＩＦＣＰは、ＵＥまたはＰＧＷがＩＰＳｅｃまたはＤＴＬＳを使用して何らかのセキュリティに対する影響に対抗して、ＰＧＷ中でマルウェアのＩＦＣＰスタックに対する攻撃を防止するのを可能にし得る。
【００５３】
処理５００は、ＵＥがＰＧＷへの多元アクセスＰＤＮ接続を確立するとき、ＵＥとＰＧＷとの間でネットワーク始動のＩＰフローモビリティ型またはＵＥ始動のフローモビリティ型の複数のパラメータの折衝をするためにユーザプレーン双方向信号プロトコルを使用することを５２０で更に含み得る。したがって、ＵＥ始動のＮＢＩＦＯＭは、ネットワーク始動のＮＢＩＦＯＭと共存し得る。
【００５４】
ＩＰフローモビリティは、ネットワークポリシー（例えば、ＰＣＣ／ＰＣＲＦルール）またはクライアントポリシー（例えば、ＡＮＤＳＦまたはＲＡＮルール）に基づいて始動されて、ネットワークに基づくフローモビリティをサポートし得る。対応するＩＰフローモビリティの起動は、ＵＥ及びネットワーク中で始動され得る。ＩＦＣＰは、対立が解消されて異なる展開のシナリオがサポートされ得るように、これらのシナリオの間で共存機構を提供し得る。
【００５５】
ＲＡＮルールに基づく３ＧＰＰ  Ｒｅｌ−１２は、ＡＰＮレベルのオフロード及びモビリティがＰＤＮ接続当り粒度について可能であることを特定する。したがって、ＲＡＮルールが満たされると、ＵＥは、３ＧＰＰからＷＬＡＮにオフロード可能なＰＤＮ接続を移動させる。ＭＭＥ／ＳＧＳＮは、ＷＬＡＮにオフロード可能なＰＤＮ接続をＮＡＳ信号送信によって示す。ＲＡＮは、いずれのモビリティ解決策を使用するのか、およびＰＤＮレベルのモビリティまたはフローレベルモビリティを使用するのか、に関して明らかであり得る。ＮＢＩＦＯＭに関して、ＰＤＮレベルモビリティを決定するＲＡＮルールがフローレベルモビリティにいかに影響を及ぼし得るかについては明らかではない。したがって、ＩＦＣＰは、ＮＢＩＦＯＭに対するＰＣＣ／ＰＣＲＦルールと連携して共存機構を提供することになる。
【００５６】
いずれのトラヒックをＷＬＡＮにオフロードさせ得るかを決定する粒度は、ＩＰフローレベルに設定し得る。ＰＤＮ接続当りのＲＡＴ  ＷＬＡＮ当りオフロード可能性指標は、ＮＢＩＦＯＭ  ＰＤＮ接続に対しても同様に使用し得る。
【００５７】
ＡＮＤＳＦルールは、ＲＡＮルールに対する設定（または優先度）を有し得る。ＡＮＤＳＦルールが存在しない場合、ＲＡＮルールを使用し得る。ＡＮＤＳＦルールは、シナリオ間を移動する際に常に使用され得る。一部の実施形態で、ＷＬＡＮに対してトラヒックを移動させるクライアント及びネットワークの両ルールが満たされた場合にのみ、トラヒックをＷＬＡＮに対してルーティングし得る。それ以外の場合には、表１１のルーティングルールの折衝項目に示すように、トラヒックは３ＧＰＰアクセスのみでルーティングし得る。
【００５８】
種々の実施形態で、ＵＥがＩＰフローモビリティ（ＵＥ制御モード）を始動することのみの許容と、ネットワークがＩＰフローモビリティ（ＮＷ制御モード）を始動することのみの許容との間で選択がされ得る。ＵＥがＩＦＯＭルーティングルール（例えば、ＡＮＤＳＦルール）またはＲＡＮルールを提供されている場合、ＵＥは、ＩＦＣＰセッション設定中にＵＥ制御モードを要求し得る。ＵＥがＵＥ制御モードを要求しない場合、ネットワークはＮＷ制御モードが使用されることになることをＵＥに知らせ得る。ＵＥ制御モードが折衝されたとき、ＵＥはＡＮＤＳＦルーティングルールまたはＲＡＮルールを使用し得る。ＮＷ制御モードが折衝されたとき、ＵＥはＡＮＤＳＦルーティングルールまたはＲＡＮルールのいずれも使用しない（代りに、ネットワーク提供のルールを使用する）。
【表１１】
2018506871.tif 000012
【００５９】
ＵＥはＵＥ動作モードを要求し得、ネットワークはその要求を受容し得る。ネットワークルールが適用されない場合、ＵＥ動作モードが選択され得る。一部の実施形態で、ネットワークはＰＣＣルールまたはＰＣＲＦルールを有し得る。ネットワークはＮＷ動作モードを要求し得、ＵＥはそれを受容し得る。ＵＥルールが提供されない場合、ネットワーク動作モードが選択され得る。一部の実施形態で、ＵＥ及びネットワークの両方がルールを有する場合、ネットワークがＵＥに対して優位を獲得し得、ＮＷ動作モードが選択され得る。一部の実施形態で、同意による動作モードに基づいて選択ルールが適用され得、それに応じてＩＰフロールーティングが選択され得る。
【００６０】
一部の実施形態で、ＩＰフロールーティングには１つまたは複数のオプションが含まれ得る。ＵＥがＡＮＤＳＦルール及びＲＡＮルールを有するとき、ＡＮＤＳＦルールはＲＡＮルールに優先し得る。ＵＥがＡＮＤＳＦルール及びＲＡＮルールのいずれかを有するとき、ＵＥは、ＩＰフロールーティング用のＵＥ動作モードをネットワークに要求し得る。ネットワークがＩＰフロールーティングルールを有さない場合、ネットワークはＵＥ要求を受容して、ＩＰフロールーティング用のＵＥ動作モードを使用してＩＰフロールーティングを行うべきことを確認し得る。ネットワークがＩＰフロールーティングルールを有するとき、ネットワークはＵＥ要求を拒絶して、ＩＰフロールーティング用のネットワークルールを使用するネットワーク要求をＵＥに対して行い、ＵＥはその要求を受容し得る。ＵＥがＩＰフロールーティングルールを有さない場合、ネットワークはネットワークルールに基づいてＩＰフロールーティングの要求を行い得る。ＵＥは要求を受容してネットワークルールを使用し得る。ＵＥ及びネットワークの両方がＩＰフロールーティングルールを有する場合、ネットワークルールがＵＥルールよりも優先し得る。
【００６１】
図１のＵＥ１１０及びＰＧＷ１４０並びに図２のＵＥ２１０及びＰＧＷ２２０は、要求に応じて構成された任意の好適なハードウェア、ファームウェア、及び／またはソフトウェアを使用して、システム中に実装し得る。図６は、少なくとも図示のように相互に結合された、無線周波数（ＲＦ）回路部６１０、ベースバンド回路部６２０、アプリケーション回路部６３０、メモリ／記憶装置６４０、表示器６５０、カメラ６６０、センサ６７０、及び入出力（Ｉ／Ｏ）インターフェース６８０を備える、実施形態に対する、例示的システム６００を示す。このシステム６００は、図１のＵＥ１１０、ＰＧＷ１４０または図２のＵＥ２１０、ＰＧＷ２２０を実装するために使用し得る。
【００６２】
アプリケーション回路部６３０は、１つまたは複数の単一コアまたは多重コアプロセッサ等の、回路部を含み得るが、これらに限定はされない。プロセッサは、汎用プロセッサ及び専用プロセッサ（例えば、グラフィックプロセッサ、アプリケーションプロセッサ等）の任意の組合せを含み得る。プロセッサは、メモリ／記憶装置６４０と結合され、システム６００上で作動する種々のアプリケーション及び／またはオペレーティングシステムを有効化するためにメモリ／記憶装置６４０中に記憶された命令を実行するように構成され得る。
【００６３】
ベースバンド回路部６２０は、１つまたは複数の単一コアまたは多重コアプロセッサ等の、回路部を含み得るが、これらに限定はされない。プロセッサには、ベースバンドプロセッサが含まれ得る。ベースバンド回路部６２０は、ＲＦ回路部６１０を経由して１つまたは複数の無線ネットワークとの通信を可能にする種々の無線制御機能を取扱い得る。無線制御機能には、信号変調、符号化、復号化、無線周波数偏移等を含み得るが、これらに限定はされない。一部の実施形態で、ベースバンド回路部６２０は、１つまたは複数の無線技術に対応可能な通信を提供し得る。例えば、一部の実施形態で、ベースバンド回路部６２０は、ＥＵＴＲＡＮ及び／もしくは他のＷＭＡＮ、ＷＬＡＮ、またはＷＰＡＮとの通信をサポートし得る。ベースバンド回路部６２０が２つ以上の無線プロトコルの無線通信をサポートするように構成される実施形態は、多重モードベースバンド回路部と呼び得る。
【００６４】
種々の実施形態で、ベースバンド回路部６２０は、ベースバンド周波数中に存在するとは厳密には考えられない信号で動作する回路部を含み得る。例えば、一部の実施形態で、ベースバンド回路部６２０は、ベースバンド周波数と無線周波数との間に存在する中間周波数を有する信号で動作する回路部を含み得る。
【００６５】
一部の実施形態で、図２の処理回路部２１６または２２６は、アプリケーション回路部６３０及び／またはベースバンド回路部６２０中に具現化し得る。
【００６６】
ＲＦ回路部６１０は、非固形媒体を通して変調電磁放射を使用して無線ネットワークとの通信を可能にし得る。種々の実施形態で、ＲＦ回路部６１０は、無線ネットワークとの通信を容易にするために、スイッチ、フィルタ、増幅器等を含み得る。
【００６７】
種々の実施形態で、ＲＦ回路部６１０は、無線周波数中に存在するとは厳密には考えられない信号で動作する回路部を含み得る。例えば、一部の実施形態で、ＲＦ回路部６１０は、ベースバンド周波数と無線周波数との間に存在する中間周波数を有する信号で動作する回路部を含み得る。
【００６８】
一部の実施形態で、図２の信号回路部２１４または２２４は、ＲＦ回路部６１０中に具現化し得る。
【００６９】
一部の実施形態で、ベースバンド回路部６２０、アプリケーション回路部６３０、及び／またはメモリ／記憶装置６４０の構成部品の一部または全部は、オンチップシステム（ＳＯＣ）に共に実装し得る。
【００７０】
メモリ／記憶装置６４０は、例えば、システム６００に対するデータ及び／または命令をロード及び記憶するために使用され得る。一実施形態に対するメモリ／記憶装置６４０は、好適な揮発性メモリ（例えば、ダイナミックランダムアクセスメモリ（ＤＲＡＭ））及び／または不揮発性メモリ（例えば、フラッシュメモリ）の任意の組合せを含み得る。
【００７１】
種々の実施形態で、Ｉ／Ｏインターフェース６８０は、システム６００とのユーザのやりとりを可能にする１つまたは複数のユーザインターフェース及び／またはシステム６００との周辺構成部品のやりとりを可能にする周辺構成部品インターフェースを含み得る。ユーザインターフェースには、物理キーボードまたはキーパッド、タッチパッド、スピーカ、マイクロホン等が含まれ得るが、これらに限定はされない。周辺構成部品インターフェースには、不揮発性メモリポート、ユニバーサルシリアルバス（ＵＳＢ）ポート、オーディオジャック、及び電源インターフェースが含まれ得るが、これらに限定はされない。
【００７２】
種々の実施形態で、センサ６７０は、システム６００に関する環境条件及び／または場所情報を決定するための１つまたは複数の検知デバイスを含み得る。一部の実施形態で、センサには、ジャイロセンサ、加速度計、近接センサ、周囲光センサ、及び測位ユニットが含まれ得るが、これらに限定はされない。測位ユニットはまた、ベースバンド回路部６２０及び／またはＲＦ回路部６１０の一部であるか、またはこれらとやりとりをして、測位ネットワークの構成部品、例えば、全地球測位システム（ＧＰＳ）衛星、と通信し得る。
【００７３】
種々の実施形態で、表示器６５０には、表示器、例えば、液晶表示器、タッチスクリーン表示器等、が含まれ得る。一部の実施形態で、カメラ６６０は、変動分散及び屈折率で作製された成型プラスチック製非球面レンズ要素を含み得る。一部の実施形態で、カメラ６６０は、ステレオ写真用の３次元画像を取り込むための２つ以上のレンズを含み得る。
【００７４】
種々の実施形態で、システム６００は、モバイルコンピューティングデバイス、例えば、スマートフォン、タブレットコンピューティングデバイス、ノートブック、ウルトラブック、ラップトップ型コンピューティングデバイス等、であり得るが、これらに限定さはれない。種々の実施形態で、システム６００は、より多数またはより少数の構成部品及び／または異なる構築体を有し得る。
【００７５】
図７は、種々の実施形態に従って、本開示の態様を導入した、プログラミング命令を有する製造物品７１０を示す。種々の実施形態で、製造物品は、本開示の種々の実施形態を実装するために採用され得る。図示のように、製造物品７１０は、本明細書に説明する処理のうちのいずれか1つの実施形態または実施形態の態様を実施するように命令７３０が構成される、コンピュータ可読非一時的記憶媒体７２０を含み得る。記憶媒体７２０は、フラッシュメモリ、ダイナミックランダムアクセスメモリ、スタティックランダムアクセスメモリ、光ディスク、磁気ディスク等を含めて、当該技術分野で公知の広範な永久記憶装置媒体を表し得るが、これらに限定はされない。実施形態中、コンピュータ可読記憶媒体７２０は、１つまたは複数のコンピュータ可読非一時的記憶媒体を含み得る。他の実施形態では、コンピュータ可読記憶媒体７２０は、命令７３０が符号化された、信号等の、一時的なものであり得る。
【００７６】
種々の実施形態で、命令７３０は、装置によるその実行に応答して、装置が本明細書に説明する種々の動作を行うことを可能にする。例として、記憶媒体７２０は、本開示の実施形態に従って、装置、例えば、図１のＵＥ１１０または図２のＵＥ２１０、にＩＰフローモビリティ制御の一部の態様、例えば、図３の処理３００または図４の処理４００に示すように、を実施させるように構成される命令７３０を含み得る。別の例として、記憶媒体７２０は、本開示の実施形態に従って、装置、例えば、図１のＰＧＷ１４０または図２のＰＧＷ２２０、にＩＰフローモビリティ制御の一部の態様、例えば、図５の処理５００に示すように、を実施させるように構成される命令７３０を含み得る。
【実施例】
【００７７】
以下の段落では、本明細書に開示した種々の実施形態の実施例について説明する。
【００７８】
第１の種類の実施例は、少なくとも２つの無線アクセス技術によって多元アクセスパケットデータネットワーク（ＰＤＮ）接続を確立して、少なくとも２つの無線アクセス技術に基づいてインターネットプロトコル（ＩＰ）フローモビリティを有効化する信号回路部、及びネットワークポリシーに基づいて始動されるＩＰフローモビリティとＵＥポリシーに基づいて始動されるＩＰフローモビリティとの共存を可能にするＵＥとＰＤＮゲートウェイ（ＰＧＷ）との間の双方向信号プロトコルに基づいてＩＰフローモビリティを制御する、信号回路部に結合された、処理回路部、を含み得るユーザ機器（ＵＥ）等の、装置を含み得る。
【００７９】
別の実施例は、上記第１の種類の実施例のいずれかの装置を含み得、双方向信号プロトコルはＵＥ及びＰＧＷで終端し、処理回路部は送信制御プロトコル（ＴＣＰ）／ＩＰまたはユーザデータグラムプロトコル（ＵＤＰ）／ＩＰに優先して双方向信号プロトコルを使用して、ＵＥとＰＧＷとの間でルーティングルールの折衝をさせる。
【００８０】
別の実施例は、上記第１の種類の実施例のいずれかの装置を含み得、信号回路部は、折衝に基づいてＵＥとＰＧＷとの間でルーティングルールを交信させる。
【００８１】
別の実施例は、上記第１の種類の実施例のいずれかの装置を含み得、処理回路部は、多元アクセスＰＤＮ接続が確立されたとき、双方向信号プロトコルを使用してＵＥとＰＧＷとの間でネットワークに基づくＩＰフローモビリティ（ＮＢ−ＩＦＯＭ）能力の折衝をさせる。
【００８２】
別の実施例は、上記第１の種類の実施例のいずれかの装置を含み得、処理回路部は、双方向信号プロトコルを使用してＵＥ始動のＩＰフローモビリティを起動し、かつネットワークポリシー及びＵＥポリシーに基づいてルーティングルールの折衝をさせる。
【００８３】
別の実施例は、上記第１の種類の実施例のいずれかの装置を含み得、処理回路部は、双方向信号プロトコルを使用してネットワーク始動のＩＰフローモビリティを受容または拒絶し、かつネットワークポリシー及びＵＥポリシーに基づいてルーティングルールの折衝をさせる。
【００８４】
別の実施例は、上記第１の種類の実施例のいずれかの装置を含み得、少なくとも２つの無線アクセス技術は無線ローカルエリアネットワーク（ＷＬＡＮ）にアクセスするＷｉＦｉ技術を備え、処理回路部はＵＥがＷＬＡＮ外にあるとき双方向信号プロトコルを使用してＰＧＷに通知し、かつＰＧＷに対してＷＬＡＮを介したＵＥへのダウンリンクパッケージの送信を停止することを要求する。
【００８５】
別の実施例は、上記第１の種類の実施例のいずれかの装置を含み得、処理回路部は、ＵＥがＷＬＡＮ中に戻ったとき双方向信号プロトコルを使用してＰＧWに通知し、ＰＧＷに対してＷＬＡＮを介したＵＥへのダウンリンクパッケージの送信の再開を要求する。
【００８６】
第２の種類の実施例は、多元アクセスパケットデータネットワーク（ＰＤＮ）接続によってＵＥ始動のＩＰフローモビリティとネットワーク始動のＩＰフローモビリティとの共存を可能にするＩＰフローモビリティ制御プロトコル（ＩＦＣＰ）に少なくとも部分的に基づいてＵＥとＰＤＮゲートウェイ（ＰＧＷ）との間でＩＰフローモビリティを可能にさせること、及びＵＥとＰＧＷとの間で、ＵＥまたはネットワークによりサポートされるＩＰフローモビリティ（ＮＢ−ＩＦＯＭ）能力の型を示すＩＦＣＰ能力の要求または応答を受信または送信させること、を備える方法を含み得る。
【００８７】
別の実施例は、上記第２の種類の実施例のいずれかの方法を含み得、該方法は、ＵＥとＰＧＷとの間で、動作モードをＵＥ始動のＩＰフローモビリティまたはネットワーク始動のＩＰフローモビリティとして示すＩＦＣＰモード要求または応答を受信または送信させること、を更に含む。
【００８８】
別の実施例は、上記第２の種類の実施例のいずれかの方法を含み得、該方法は、ＩＦＣＰ中断要求をＰＧＷに送信させて、多元アクセスＰＤＮを中断させること、及びＩＦＣＰ再開要求をＰＧＷに送信させて、多元アクセスＰＤＮを再開させること、を更に含む。
【００８９】
別の実施例は、上記第２の種類の実施例のいずれかの方法を含み得、該方法は、ＩＦＣＰフローモビリティの要求または応答を受信または送信させて、ＵＥとＰＧＷとの間でルーティングルールの折衝をさせることを更に含む。
【００９０】
別の実施例は、上記第２の種類の実施例のいずれかの方法を含み得、該方法は、トラヒックのルーティング用の無線アクセスネットワーク（ＲＡＮ）ルールよりもアクセスネットワーク発見及び選択機能（ＡＮＤＳＦ）ルールを優先させ、またはＵＥ始動のルーティングルールよりもネットワーク始動のルーティングルールを優先させること、を更に含む。
【００９１】
別の実施例は、上記第２の種類の実施例のいずれかを行う手段を備える装置を含み得る。
【００９２】
別の実施例は、装置に対して、１つまたは複数のプロセッサによる命令の実行時に、上記第２の種類の実施例のいずれかを行わせる命令を備える１つまたは複数の非一時的コンピュータ可読媒体を含み得る。
【００９３】
第３の種類の実施例は、多元アクセスパケットデータネットワーク（ＰＤＮ）接続によってＵＥと通信する通信モジュール、及びネットワーク始動のＩＰフローモビリティ型とＵＥ始動のフローモビリティ型との共存を可能にするユーザプレーン双方向信号プロトコルに少なくとも部分的に基づいて、ＵＥとＰＧＷとの間でインターネットプロトコル（ＩＰ）フローモビリティを管理する制御モジュール、を含み得る、パケットデータネットワークゲートウェイ（ＰＧＷ）等の、装置を含み得る。
【００９４】
別の実施例は、上記第３の種類の実施例のいずれかの装置を含み得、制御モジュールは、ＵＥがＰＧＷへの多元アクセスＰＤＮ接続を確立するとき、ユーザプレーン双方向信号プロトコルを使用して、ＵＥとＰＧＷとの間でネットワーク始動のＩＰフローモビリティ型またはＵＥ始動のフローモビリティ型の複数の能力パラメータの折衝をさせる。
【００９５】
別の実施例は、上記第３の種類の実施例のいずれかの装置を含み得、制御モジュールは、ユーザプレーン双方向信号プロトコルを使用して、ＵＥ始動のＩＰフローモビリティセッションを受容または拒絶する。
【００９６】
別の実施例は、上記第３の種類の実施例のいずれかの装置を含み得、制御モジュールは、ユーザプレーン双方向信号プロトコルを使用して、ネットワーク始動のＩＰフローモビリティセッションを起動してネットワークポリシーに基づくルーティングルールをＵＥに転送する。
【００９７】
第４の種類の実施例は、ネットワーク始動のＩＰフローモビリティ型とＵＥ始動のフローモビリティ型との共存を可能にするユーザプレーン双方向信号プロトコルに少なくとも部分的に基づいて、ＵＥとＰＧＷとの間でインターネットプロトコル（ＩＰ）フローモビリティを管理させること、かつユーザプレーン双方向信号プロトコルを使用させて、ＵＥがＰＧＷに対する多元アクセスＰＤＮ接続を確立するときＵＥとＰＧＷとの間でネットワーク始動のＩＰフローモビリティ型またはＵＥ始動のフローモビリティ型の複数の能力パラメータの折衝をさせること、を備える方法を含み得る。
【００９８】
別の実施例は、上記第４の種類の実施例のいずれかの方法を含み得、該方法は、ユーザプレーン双方向信号プロトコルを使用させて、ポリシー及び課金制御（ＰＣＣ）またはポリシー及び課金ルール機能（ＰＣＲＦ）に基づいてネットワーク始動のＩＰフローモビリティセッションを起動させること、を更に含む。
【００９９】
別の実施例は、上記第４の種類の実施例のいずれかの方法を含み得、該方法は、ユーザプレーン双方向信号プロトコルを使用させて、ＵＥ始動のＩＰフローモビリティセッションを受容または拒絶させること、を更に含む。
【０１００】
別の実施例は、上記第４の種類の実施例のいずれかの方法を含み得、該方法は、ネットワーク及びＵＥがユーザプレーン双方向信号プロトコルに基づいてＷＬＡＮに基づくルーティングルールに合意した場合にのみＷＬＡＮを経由してトラヒックのルーティングをさせること、を更に含む。
【０１０１】
別の実施例は、上記第４の種類の実施例のいずれかの方法を含み得、該方法は、ＵＥ始動のルーティングルールよりもネットワーク始動のルーティングルールを優先させること、を更に含む。
【０１０２】
別の実施例は、上記第４の種類の実施例のいずれかの方法を含み得、該方法は、ユーザプレーン双方向信号プロトコルを使用してネットワーク始動のルーティングルールをＵＥに転送させること、を更に含む。
【０１０３】
別の実施例は、上記第４の種類の実施例のいずれかの方法を含み得、該方法は、ＩＦＣＰフローモビリティ要求を受信させるか、またはＩＦＣＰフローモビリティ応答を送信させて、ＰＧＷとＵＥとの間でルーティングルールの折衝をさせること、を更に含む。
【０１０４】
別の実施例は、上記第４の種類の実施例のいずれかを行う手段を備える装置を含み得る。
【０１０５】
別の実施例は、装置に対して、１つまたは複数の装置のプロセッサによる命令の実行時に、上記第４の種類の実施例のいずれかを行わせる命令を備える１つまたは複数の非一時的コンピュータ可読媒体を含み得る。
【０１０６】
説明した実装例の本明細書中の説明は、要約書に記載した事項も含めて、網羅的であるように、または開示した厳密な形態に本開示を限定するように意図されたものではない。特定の実装例及び実施例を説明目的で本明細書に記載したが、当業者であれば認識し得るように、同一の目的を達成するように想定された種々の代替的及び／もしくは均等な実施形態または実装例も、本開示の範囲から逸脱することなく上記の詳細な説明に鑑みて想到可能である。
【図１】
2018506871.tif 000013
【図２】
2018506871.tif 000014
【図３】
2018506871.tif 000015
【図４】
2018506871.tif 000016
【図５】
2018506871.tif 000017
【図６】
2018506871.tif 000018
【図７】
2018506871.tif 000019
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に実装する装置であって、
少なくとも２つの無線アクセス技術によって多元アクセスパケットデータネットワーク（ＰＤＮ）接続を確立して、前記少なくとも２つの無線アクセス技術に基づいてインターネットプロトコル（ＩＰ）フローモビリティを有効化する信号回路部、及び
ネットワークポリシーに基づいて始動されるＩＰフローモビリティとＵＥポリシーに基づいて始動されるＩＰフローモビリティとの共存を可能にする前記ＵＥとＰＤＮゲートウェイ（ＰＧＷ）との間の双方向信号プロトコルに基づいてＩＰフローモビリティを制御する、前記信号回路部に結合された、処理回路部、
を備える
装置。
【請求項２】
前記双方向信号プロトコルは前記ＵＥ及び前記ＰＧＷで終端し、前記処理回路部は送信制御プロトコル（ＴＣＰ）／ＩＰまたはユーザデータグラムプロトコル（ＵＤＰ）／ＩＰに優先して前記双方向信号プロトコルを使用して、前記ＵＥと前記ＰＧＷとの間でルーティングルールの折衝をさせる、請求項１に記載の装置。
【請求項３】
前記信号回路部は、前記折衝に基づいて前記ＵＥと前記ＰＧＷとの間でルーティングルールを交信させる、請求項２に記載の装置。
【請求項４】
前記処理回路部は、前記多元アクセスＰＤＮ接続が確立されたとき、前記双方向信号プロトコルを使用して前記ＵＥと前記ＰＧＷとの間でネットワークに基づくＩＰフローモビリティ（ＮＢ−ＩＦＯＭ）能力の折衝をさせる、請求項１から３のいずれか一項に記載の装置。
【請求項５】
前記処理回路部は、前記双方向信号プロトコルを使用してＵＥ始動のＩＰフローモビリティを起動し、かつ前記ネットワークポリシー及び前記ＵＥポリシーに基づいてルーティングルールの折衝をさせる、請求項１から４のいずれか一項に記載の装置。
【請求項６】
前記処理回路部は、前記双方向信号プロトコルを使用してネットワーク始動のＩＰフローモビリティを受容または拒絶し、かつ前記ネットワークポリシー及び前記ＵＥポリシーに基づいてルーティングルールの折衝をさせる、請求項１から５のいずれか一項に記載の装置。
【請求項７】
前記少なくとも２つの無線アクセス技術は無線ローカルエリアネットワーク（ＷＬＡＮ）にアクセスするＷｉＦｉ技術を備え、前記処理回路部は前記ＵＥが前記ＷＬＡＮ外にあるとき前記双方向信号プロトコルを使用して前記ＰＧＷに通知し、かつ前記ＰＧＷに対して前記ＷＬＡＮを介した前記ＵＥへのダウンリンクパッケージの送信を停止することを要求する、請求項１から６のいずれか一項に記載の装置。
【請求項８】
前記処理回路部は、前記ＵＥが前記ＷＬＡＮのカバレッジ中に戻ったとき前記双方向信号プロトコルを使用して前記ＰＧＷに通知し、前記ＰＧＷに対して前記ＷＬＡＮを介した前記ＵＥへのダウンリンクパッケージの送信の再開を要求する、請求項７に記載の装置。
【請求項９】
ユーザ機器（ＵＥ）に対して、前記ＵＥのプロセッサによる実行に応答して、
多元アクセスパケットデータネットワーク（ＰＤＮ）接続によってＵＥ始動のＩＰフローモビリティとネットワーク始動のＩＰフローモビリティとの共存を可能にするＩＰフローモビリティ制御プロトコル（ＩＦＣＰ）に少なくとも部分的に基づいてＵＥとＰＤＮゲートウェイ（ＰＧＷ）との間でＩＰフローモビリティを有効化させ、かつ
前記ＵＥと前記ＰＧＷとの間で、前記ＵＥまたはネットワークによりサポートされるＩＰフローモビリティ（ＮＢ−ＩＦＯＭ）能力の型を示すＩＦＣＰ能力の要求または応答を受信または送信させる、
コンピュータプログラム。
【請求項１０】
前記コンピュータプログラムは、実行されると、前記ＵＥに対して更に、
前記ＵＥと前記ＰＧＷとの間で、動作モードを前記ＵＥ始動のＩＰフローモビリティまたは前記ネットワーク始動のＩＰフローモビリティとして示すＩＦＣＰモード要求または応答を受信または送信させる、請求項９に記載のコンピュータプログラム。
【請求項１１】
前記コンピュータプログラムは、実行されると、前記ＵＥに対して更に、
ＩＦＣＰ中断要求を前記ＰＧＷに送信させて、前記多元アクセスＰＤＮを中断させ、かつ
ＩＦＣＰ再開要求を前記ＰＧＷに送信させて、前記多元アクセスＰＤＮを再開させる、請求項９または１０に記載のコンピュータプログラム。
【請求項１２】
前記コンピュータプログラムは、実行されると、前記ＵＥに対して更に、
ＩＦＣＰフローモビリティの要求または応答を受信または送信させて、前記ＵＥと前記ＰＧＷとの間でルーティングルールの折衝をさせる、請求項９から１１のいずれか一項に記載のコンピュータプログラム。
【請求項１３】
前記コンピュータプログラムは、実行されると、前記ＵＥに対して更に、
トラヒックのルーティング用の無線アクセスネットワーク（ＲＡＮ）ルールよりもアクセスネットワークの発見及び選択機能（ＡＮＤＳＦ）ルールを優先させ、かつ
ＵＥ始動のルーティングルールよりもネットワーク始動のルーティングルール（ＰＣＣルールまたはＰＣＲＦルール）を優先させ、前記ネットワーク始動のルールは、少なくとも１つのポリシー及び課金制御（ＰＣＣ）ルールまたはポリシー及び課金ルール機能（ＰＣＲＦ）ルールを備える、請求項９から１２のいずれか一項に記載のコンピュータプログラム。
【請求項１４】
パケットデータネットワークゲートウェイ（ＰＧＷ）であって、
多元アクセスパケットデータネットワーク（ＰＤＮ）接続によってＵＥと通信する通信モジュール、及び
ネットワーク始動のＩＰフローモビリティ型とＵＥ始動のフローモビリティ型との共存を可能にするユーザプレーン双方向信号プロトコルに少なくとも部分的に基づいて、前記ＵＥと前記ＰＧＷとの間でインターネットプロトコル（ＩＰ）フローモビリティを管理する制御モジュール、
を備える、
ＰＧＷ。
【請求項１５】
前記制御モジュールは、前記ＵＥが前記ＰＧＷへの前記多元アクセスＰＤＮ接続を確立するとき、前記ユーザプレーン双方向信号プロトコルを使用して、前記ＵＥと前記ＰＧＷとの間で前記ネットワーク始動のＩＰフローモビリティ型または前記ＵＥ始動のフローモビリティ型の複数の能力パラメータの折衝をさせる、請求項１４に記載のＰＧＷ。
【請求項１６】
前記制御モジュールは、前記ユーザプレーン双方向信号プロトコルを使用して、ＵＥ始動のＩＰフローモビリティセッションを受容または拒絶する、請求項１４または１５に記載のＰＧＷ。
【請求項１７】
前記制御モジュールは、前記ユーザプレーン双方向信号プロトコルを使用して、ネットワーク始動のＩＰフローモビリティセッションを起動してネットワークポリシーに基づくルーティングルールを前記ＵＥに転送する、請求項１４から１６のいずれか一項に記載のＰＧＷ。
【請求項１８】
パケットデータネットワークゲートウェイ（ＰＧＷ）に対して、前記ＰＧＷのプロセッサによる実行に応答して、
ネットワーク始動のＩＰフローモビリティ型とＵＥ始動のフローモビリティ型との共存を可能にするユーザプレーン双方向信号プロトコルに少なくとも部分的に基づいて、ＵＥと前記ＰＧＷとの間でインターネットプロトコル（ＩＰ）フローモビリティを管理させ、かつ
前記ユーザプレーン双方向信号プロトコルを使用させて、前記ＵＥが前記ＰＧＷに対する多元アクセスＰＤＮ接続を確立するとき前記ＵＥと前記ＰＧＷとの間で前記ネットワーク始動のＩＰフローモビリティ型または前記ＵＥ始動のフローモビリティ型の複数の能力パラメータの折衝をさせる、
コンピュータプログラム。
【請求項１９】
前記コンピュータプログラムは、実行されると、前記ＰＧＷに対して更に、
前記ユーザプレーン双方向信号プロトコルを使用させて、ポリシー及び課金制御（ＰＣＣ）またはポリシー及び課金ルール機能（ＰＣＲＦ）に基づいてネットワーク始動のＩＰフローモビリティセッションを起動させる、請求項１８に記載のコンピュータプログラム。
【請求項２０】
前記コンピュータプログラムは、実行されると、前記ＰＧＷに対して更に、
前記ユーザプレーン双方向信号プロトコルを使用させて、ＵＥ始動のＩＰフローモビリティセッションを受容または拒絶させる、請求項１８または１９に記載のコンピュータプログラム。
【請求項２１】
前記コンピュータプログラムは、実行されると、前記ＰＧＷに対して更に、
ネットワーク及び前記ＵＥが前記ユーザプレーン双方向信号プロトコルに基づいてＷＬＡＮに基づくルーティングルールに合意した場合にのみＷＬＡＮを経由してトラヒックのルーティングをさせる、請求項１８から２０のいずれか一項に記載のコンピュータプログラム。
【請求項２２】
前記コンピュータプログラムは、実行されると、前記ＰＧＷに対して更に、
ＵＥ始動のルーティングルールよりもネットワーク始動のルーティングルールを優先させ、かつ
前記ユーザプレーン双方向信号プロトコルを使用してネットワーク始動のルーティングルールを前記ＵＥに転送させる、請求項１８から２１のいずれか一項に記載のコンピュータプログラム。
【請求項２３】
前記コンピュータプログラムは、実行されると、前記ＰＧＷに対して更に、
ＩＦＣＰフローモビリティ要求を受信させるか、またはＩＦＣＰフローモビリティ応答を送信させて、前記ＰＧＷと前記ＵＥとの間でルーティングルールの折衝をさせる、請求項１８から２２のいずれか一項に記載のコンピュータプログラム。
【請求項２４】
請求項９から１３または請求項１８から２３のいずれか一項に記載のコンピュータプログラムを格納する、コンピュータ可読記録媒体。
【国際調査報告】
2018506871.tif 000020
2018506871.tif 000021
2018506871.tif 000022
2018506871.tif 000023
2018506871.tif 000024